(57)【特許請求の範囲】
【請求項１】
ユーザ機器(UE)におけるワイヤレス通信のための方法であって、
複数のスロットのうちの少なくとも1つのために、前記スロットの位置に少なくとも一部基づいて複数の構成された基準信号処理のうちの対応する基準信号処理を特定するステップであって、前記対応する基準信号処理が、受信ビームのための1つまたは複数のビームフォーミングパラメータを示す、ステップと、
前記複数のスロットのうちの少なくとも1つにおける非周期的な基準信号の存在を示す制御信号を受信するステップと、
前記制御信号および前記ビームフォーミングパラメータに少なくとも一部基づいて、前記複数のスロットのうちの前記少なくとも1つにおいて前記非周期的な基準信号を受信するステップとを備える、方法。
【請求項２】
前記複数の構成された基準信号処理のうちの前記対応する基準信号処理がさらに、前記複数の構成された基準信号処理の数に少なくとも一部基づいて特定される、請求項1に記載の方法。
【請求項３】
前記非周期的な基準信号を受信したことに応答して、前記受信ビームを含むビームペアリンクの送信ビームを介して測定報告を基地局に送信するステップをさらに備える、請求項1に記載の方法。
【請求項４】
前記複数の構成された基準信号処理の各々が、関連する基準信号送信のために構成される時間リソースまたは周波数リソースのうちの1つまたは複数を含む、請求項1に記載の方法。
【請求項５】
前記複数の構成された基準信号処理のうちの前記対応する基準信号処理が、前記複数のスロットのうちの前記少なくとも1つのスロットインデックスに少なくとも一部基づいて特定される、請求項4に記載の方法。
【請求項６】
前記複数の構成された基準信号処理のうちの前記対応する基準信号処理が、前記複数の構成された基準信号処理の数を法とするスロットインデックスの剰余として特定される、請求項4に記載の方法。
【請求項７】
前記制御信号が、前記複数のスロットのうちの前記少なくとも1つの中にダウンリンク制御情報(DCI)の中の指示を備える、請求項1に記載の方法。
【請求項８】
前記複数の構成された基準信号処理のための構成情報とともに無線リソース制御(RRC)シグナリングを受信するステップをさらに備える、請求項1に記載の方法。
【請求項９】
ワイヤレス通信のための方法であって、
複数のスロットのうちの1つまたは複数のスロットにおいて送信されるべき1つまたは複数の基準信号を受信して処理するための複数の基準信号処理を用いてユーザ機器(UE)を構成するステップであって、前記複数の基準信号処理のうちの対応する基準信号処理を有する前記複数のスロットの各スロットが、前記スロットの位置に少なくとも一部基づく、ステップと、
前記複数のスロットのうちの第1のスロットにおける非周期的な基準信号の存在を示すための制御信号を送信するステップと、
複数の送信ビームのうちの送信ビームを介して前記第1のスロットにおいて前記非周期的な基準信号を送信するステップとを備える、方法。
【請求項１０】
前記複数の構成された基準信号処理のうちの前記対応する基準信号処理がさらに、前記複数の構成された基準信号処理の数に少なくとも一部基づく、請求項9に記載の方法。
【請求項１１】
前記非周期的な基準信号を送信したことに応答して、前記送信ビームを含むビームペアリンクの受信ビームを介して測定報告を前記UEから受信するステップをさらに備える、請求項9に記載の方法。
【請求項１２】
前記複数の基準信号処理の各々が、関連する基準信号送信のために構成される時間リソースまたは周波数リソースのうちの1つまたは複数を含む、請求項9に記載の方法。
【請求項１３】
前記複数の構成された基準信号処理のうちの前記対応する基準信号処理が、スロットインデックスに少なくとも一部基づいて特定される、請求項12に記載の方法。
【請求項１４】
前記複数の構成された基準信号処理のうちの前記対応する基準信号処理が、前記複数の構成された基準信号処理の数を法とするスロットインデックスの剰余として特定される、請求項12に記載の方法。
【請求項１５】
前記制御信号を送信する前記ステップが、前記第1のスロットにおける前記基準信号の存在または不在を示すために、前記第1のスロットのダウンリンク制御情報(DCI)の中のインジケータを設定するステップを備える、請求項9に記載の方法。
【請求項１６】
前記構成するステップが、前記複数の基準信号処理のための構成情報とともに無線リソース制御(RRC)シグナリングを前記UEに送信するステップを備える、請求項9に記載の方法。
【請求項１７】
ワイヤレス通信のための装置であって、
複数のスロットのうちの少なくとも1つのために、前記スロットの位置に少なくとも一部基づいて複数の構成された基準信号処理のうちの対応する基準信号処理を特定するための手段であって、前記対応する基準信号処理が、受信ビームのための1つまたは複数のビームフォーミングパラメータを示す、手段と、
前記複数のスロットのうちの少なくとも1つにおける非周期的な基準信号の存在を示す制御信号を受信するための手段と、
前記制御信号および前記ビームフォーミングパラメータに少なくとも一部基づいて、前記複数のスロットのうちの前記少なくとも1つにおいて前記非周期的な基準信号を受信するための手段とを備える、装置。
【請求項１８】
前記複数の構成された基準信号処理の各々が、関連する基準信号送信のために構成される時間リソースまたは周波数リソースのうちの1つまたは複数を含む、請求項17に記載の装置。
【請求項１９】
前記複数の構成された基準信号処理のうちの前記対応する基準信号処理が、前記複数のスロットのうちの前記少なくとも1つのスロットインデックスに少なくとも一部基づいて特定される、請求項18に記載の装置。
【請求項２０】
前記複数の構成された基準信号処理のうちの前記対応する基準信号処理が、前記複数の構成された基準信号処理の数を法とするスロットインデックスの剰余として特定される、請求項18に記載の装置。
【請求項２１】
前記制御信号が、前記複数のスロットのうちの前記少なくとも1つの中にダウンリンク制御情報(DCI)の中の指示を備える、請求項17に記載の装置。
【請求項２２】
前記複数の構成された基準信号処理のための構成情報とともに無線リソース制御(RRC)シグナリングを受信するための手段をさらに備える、請求項17に記載の装置。
【請求項２３】
ワイヤレス通信のための装置であって、
複数のスロットのうちの1つまたは複数のスロットにおいて送信されるべき1つまたは複数の基準信号を受信して処理するための複数の基準信号処理を用いてユーザ機器(UE)を構成するための手段であって、前記複数の基準信号処理のうちの対応する基準信号処理を有する前記複数のスロットの各スロットが、前記スロットの位置に少なくとも一部基づく、手段と、
前記複数のスロットのうちの第1のスロットにおける非周期的な基準信号の存在を示すための制御信号を送信するための手段と、
複数の送信ビームのうちの送信ビームを介して前記第1のスロットにおいて前記非周期的な基準信号を送信するための手段とを備える、装置。
【請求項２４】
前記複数の基準信号処理の各々が、関連する基準信号送信のために構成される時間リソースまたは周波数リソースのうちの1つまたは複数を含む、請求項23に記載の装置。
【請求項２５】
前記複数の構成された基準信号処理のうちの前記対応する基準信号処理が、スロットインデックスに少なくとも一部基づいて特定される、請求項24に記載の装置。
【請求項２６】
前記複数の構成された基準信号処理のうちの前記対応する基準信号処理が、前記複数の構成された基準信号処理の数を法とするスロットインデックスの剰余として特定される、請求項24に記載の装置。
【請求項２７】
前記制御信号を送信するための前記手段が、前記第1のスロットにおける前記基準信号の存在または不在を示すために、前記第1のスロットのダウンリンク制御情報(DCI)の中のインジケータを設定する、請求項23に記載の装置。
【請求項２８】
構成するための前記手段が、前記複数の基準信号処理のための構成情報とともに無線リソース制御(RRC)シグナリングを前記UEに送信する、請求項23に記載の装置。
【請求項２９】
ワイヤレス通信のための装置であって、
プロセッサと、
前記プロセッサと電子的に通信しているメモリと、
前記メモリに記憶された命令とを備え、前記命令が、前記プロセッサによって実行されると、前記装置に、
複数のスロットのうちの少なくとも1つのために、前記スロットの位置に少なくとも一部基づいて複数の構成された基準信号処理のうちの対応する基準信号処理を特定することであって、前記対応する基準信号処理が、受信ビームのための1つまたは複数のビームフォーミングパラメータを示す、特定することと
前記複数のスロットのうちの少なくとも1つにおける非周期的な基準信号の存在を示す制御信号を受信することと、
前記制御信号および前記ビームフォーミングパラメータに少なくとも一部基づいて、前記複数のスロットのうちの前記少なくとも1つにおいて前記非周期的な基準信号を受信することと
を行わせるように動作可能である、装置。
【請求項３０】
前記複数の構成された基準信号処理の各々が、関連する基準信号送信のために構成される時間リソースまたは周波数リソースのうちの1つまたは複数を含む、請求項29に記載の装置。
【請求項３１】
前記複数の構成された基準信号処理のうちの前記対応する基準信号処理が、前記複数のスロットのうちの前記少なくとも1つのスロットインデックスに少なくとも一部基づいて特定される、請求項30に記載の装置。
【請求項３２】
前記複数の構成された基準信号処理の前記対応する基準信号処理が、前記複数の構成された基準信号処理の数を法とするスロットインデックスの剰余として特定される、請求項30に記載の装置。
【請求項３３】
前記制御信号が、前記複数のスロットのうちの前記少なくとも1つの中にダウンリンク制御情報(DCI)の中の指示を備える、請求項29に記載の装置。
【請求項３４】
前記命令がさらに、前記装置に、
前記複数の構成された基準信号処理のための構成情報とともに無線リソース制御(RRC)シグナリングを受信させる、請求項29に記載の装置。
【請求項３５】
ワイヤレス通信のための装置であって、
プロセッサと、
前記プロセッサと電子的に通信しているメモリと、
前記メモリに記憶された命令とを備え、前記命令が、前記プロセッサによって実行されると、前記装置に、
複数のスロットのうちの1つまたは複数のスロットにおいて送信されるべき1つまたは複数の基準信号を受信して処理するための複数の基準信号処理を用いてユーザ機器(UE)を構成することであって、前記複数の基準信号処理のうちの対応する基準信号処理を有する前記複数のスロットの各スロットが、前記スロットの位置に少なくとも一部基づく、構成することと、
前記複数のスロットのうちの第1のスロットにおける非周期的な基準信号の存在を示すための制御信号を送信することと、
複数の送信ビームのうちの送信ビームを介して前記第1のスロットにおいて前記非周期的な基準信号を送信することと
を行わせるように動作可能である、装置。
【請求項３６】
前記複数の基準信号処理の各々が、関連する基準信号送信のために構成される時間リソースまたは周波数リソースのうちの1つまたは複数を含む、請求項35に記載の装置。
【請求項３７】
前記複数の構成された基準信号処理のうちの前記対応する基準信号処理が、スロットインデックスに少なくとも一部基づいて特定される、請求項36に記載の装置。
【請求項３８】
前記複数の構成された基準信号処理の前記対応する基準信号処理が、前記複数の構成された基準信号処理の数を法とするスロットインデックスの剰余として特定される、請求項36に記載の装置。
【請求項３９】
前記制御信号を送信することが、前記第1のスロットにおける前記基準信号の存在または不在を示すために、前記第1のスロットのダウンリンク制御情報(DCI)の中のインジケータを設定することを含む、請求項35に記載の装置。
【請求項４０】
前記構成することが、前記複数の基準信号処理のための構成情報とともに無線リソース制御(RRC)シグナリングを前記UEに送信することを含む、請求項35に記載の装置。
【請求項４１】
ワイヤレス通信のためのコードを記憶するコンピュータ可読記録媒体であって、前記コードが、
複数のスロットのうちの少なくとも1つのために、前記スロットの位置に少なくとも一部基づいて複数の構成された基準信号処理のうちの対応する基準信号処理を特定することであって、前記対応する基準信号処理が、受信ビームのための1つまたは複数のビームフォーミングパラメータを示す、特定することと、
前記複数のスロットのうちの少なくとも1つにおける非周期的な基準信号の存在を示す制御信号を受信することと、
前記制御信号および前記ビームフォーミングパラメータに少なくとも一部基づいて、前記複数のスロットのうちの前記少なくとも1つにおいて前記非周期的な基準信号を受信することと
を行うようにプロセッサによって実行可能な命令を備える、コンピュータ可読記録媒体。
【請求項４２】
ワイヤレス通信のためのコードを記憶するコンピュータ可読記録媒体であって、前記コードが、
複数のスロットのうちの1つまたは複数のスロットにおいて送信されるべき1つまたは複数の基準信号を受信して処理するための複数の基準信号処理を用いてユーザ機器(UE)を構成することであって、前記複数の基準信号処理のうちの対応する基準信号処理を有する前記複数のスロットの各スロットが、前記スロットの位置に少なくとも一部基づく、構成することと、
前記複数のスロットのうちの第1のスロットにおける非周期的な基準信号の存在を示すための制御信号を送信することと、
複数の送信ビームのうちの送信ビームを介して前記第1のスロットにおいて前記非周期的な基準信号を送信することと
を行うようにプロセッサによって実行可能な命令を備える、コンピュータ可読記録媒体。
【発明の詳細な説明】
【技術分野】
【０００１】
相互参照
本特許出願は、2018年4月2日に出願された「Reference Signal Resource Location Techniques In Wireless Communications」という表題のSubramanian他による米国特許出願第15/943,518号、および2017年4月4日に出願された「Reference Signal Resource Location Techniques In Wireless Communications」という表題のSubramanian他による米国仮特許出願第62/481,669号の優先権を主張し、これらの各々が本明細書の譲受人に譲渡される。
【０００２】
以下は全般に、ワイヤレス通信に関し、より詳細には、ワイヤレス通信における基準信号リソース捜索技法に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例には、符号分割多元接続(CDMA)システム、時分割多元接続(TDMA)システム、周波数分割多元接続(FDMA)システム、および直交周波数分割多元接続(OFDMA)システム(たとえば、Long Term Evolution(LTE)システム、またはNew Radio(NR)システム)がある。ワイヤレス多元接続通信システムは、場合によってはユーザ機器(UE)として知られていることがある、複数の通信デバイスのための通信を各々が同時にサポートする、いくつかの基地局またはアクセスネットワークノードを含むことがある。
【０００４】
一部のワイヤレスシステムでは、デバイス(たとえば、基地局およびUE)は指向性の送信(たとえば、ビーム)を使用して通信することができ、ビームフォーミングが、特定の方向においてビームをもたらすために複数のアンテナ要素を使用して適用され得る。いくつかの場合、基地局は、UEが移動している間に通信の途絶が発生するときなどには、UEの具体的な位置を認識していないことがある。第1のデバイスが、第2のデバイスへ送信するための方向を知らないとき、第1のデバイスは、異なる方向に向けられたビームのセットを掃引し、ビームの各々で重複する信号または情報を送信することによって、第2のデバイスへ送信することがある。代わりに、第1のデバイスは1つまたは少数のビームで送信することがあり、第2のデバイスは、第1のデバイスがその上で送信している1つまたは複数のビームを捜索しようとして、ビームのセットを掃引することがある。いくつかの場合、第1のデバイスと第2のデバイスの両方が、送信および受信するためにビームのセットを掃引することがある。
【発明の概要】
【課題を解決するための手段】
【０００５】
説明される技法は、ワイヤレス通信における基準信号リソース捜索技法をサポートする改良された方法、システム、デバイス、または装置に関する。ミリメートル波(mmW)システムなどのワイヤレス通信システムにおいて、基地局およびユーザ機器(UE)は、UEと基地局との間の通信リンクを可能にするための適切なビームを発見して維持するために使用され得る基準信号処理に指向性の送信を利用し得る。いくつかの例では、UEは、無線フレームの中のある数のスロットのためのある数の基準信号処理を構成することができ、各スロットのために、構成された基準信号処理のうちの対応する基準信号処理を特定することができる。いくつかの場合、各スロットのための対応する基準信号処理は、無線フレーム内でのスロットの位置、構成された基準信号処理の数、またはこれらの組合せに少なくとも一部基づき得る。
【０００６】
UEは、スロットのための特定された基準信号処理に基づいてそのスロットのためのRF受信構成要素を構成することができ、基準信号がそのスロットにおいて送信されるかどうかを示す制御情報を監視することができる。基準信号がスロットに存在することを制御情報が示す場合、UEは、構成されたRF受信構成要素に基づいて基準信号を受信し得る。いくつかの例では、制御情報は、スロットにおける基準信号送信の存在または不在を示す、各スロットと関連付けられるダウンリンク制御情報(DCI)において送信される指示であり得るので、UEにおいて受信され得る非周期的な基準信号(たとえば、準持続性のまたは不定期のCSI-RS)を基地局が送信することが可能になる。
【０００７】
ワイヤレス通信の方法が説明される。方法は、複数のスロットのうちの少なくとも1つのために、スロットの位置に少なくとも一部基づいて複数の構成された基準信号処理のうちの対応する基準信号処理を特定するステップであって、対応する基準信号処理が、受信ビームのための1つまたは複数のビームフォーミングパラメータを示す、ステップと、複数のスロットのうちの少なくとも1つにおける非周期的な基準信号の存在を示す制御信号を受信するステップと、制御信号およびビームフォーミングパラメータに少なくとも一部基づいて複数のスロットのうちの少なくとも1つにおいて基準信号を受信するステップとを含み得る。
【０００８】
ワイヤレス通信のための装置が説明される。装置は、複数のスロットのうちの少なくとも1つのために、スロットの位置に少なくとも一部基づいて複数の構成された基準信号処理のうちの対応する基準信号処理を特定するための手段であって、対応する基準信号処理が、受信ビームのための1つまたは複数のビームフォーミングパラメータを示す、手段と、複数のスロットのうちの少なくとも1つにおける非周期的な基準信号の存在を示す制御信号を受信するための手段と、制御信号およびビームフォーミングパラメータに少なくとも一部基づいて複数のスロットのうちの少なくとも1つにおいて基準信号を受信するための手段とを含み得る。
【０００９】
ワイヤレス通信のための別の装置が説明される。この装置は、プロセッサと、プロセッサと電子的に通信しているメモリと、メモリに記憶された命令とを含み得る。命令は、プロセッサに、複数のスロットのうちの少なくとも1つのために、スロットの位置に少なくとも一部基づいて複数の構成された基準信号処理のうちの対応する基準信号処理を特定させ、対応する基準信号処理が、受信ビームのための1つまたは複数のビームフォーミングパラメータを示し、複数のスロットのうちの少なくとも1つにおける非周期的な基準信号の存在を示す制御信号を受信させ、制御信号およびビームフォーミングパラメータに少なくとも一部基づいて複数のスロットのうちの少なくとも1つにおいて基準信号を受信させるように動作可能であり得る。
【００１０】
ワイヤレス通信のための非一時的コンピュータ可読媒体が説明される。非一時的コンピュータ可読媒体は、プロセッサに、複数のスロットのうちの少なくとも1つのために、スロットの位置に少なくとも一部基づいて複数の構成された基準信号処理のうちの対応する基準信号処理を特定させ、対応する基準信号処理が、受信ビームのための1つまたは複数のビームフォーミングパラメータを示し、複数のスロットのうちの少なくとも1つにおける非周期的な基準信号の存在を示す制御信号を受信させ、制御信号およびビームフォーミングパラメータに少なくとも一部基づいて複数のスロットのうちの少なくとも1つにおいて基準信号を受信させるように動作可能な命令を含み得る。
【００１１】
上で説明された方法、装置、および非一時的コンピュータ可読媒体のいくつかの例はさらに、非周期的な基準信号を受信したことに応答して、受信ビームを含むビームペアリンクの送信ビームを介して測定報告を基地局に送信するための、プロセス、特徴、手段、または命令を含み得る。上で説明された方法、装置、および非一時的コンピュータ可読媒体のいくつかの例では、複数の構成された基準信号処理の各々は、関連する基準信号送信のために構成される時間リソースまたは周波数リソースのうちの1つまたは複数を含む。上で説明された方法、装置、および非一時的コンピュータ可読媒体のいくつかの例では、複数の構成された基準信号処理のうちの対応する基準信号処理は、複数のスロットのうちの少なくとも1つのスロットインデックスに少なくとも一部基づいて特定される。上で説明された方法、装置、および非一時的コンピュータ可読媒体のいくつかの例では、複数の構成された基準信号処理のうちの対応する基準信号処理は、複数の構成された基準信号処理の数を法とするスロットインデックスの剰余に少なくとも一部基づいて特定され得る。上で説明された方法、装置、および非一時的コンピュータ可読媒体のいくつかの例では、制御信号は、複数のスロットのうちの少なくとも1つの中のダウンリンク制御情報(DCI)の中に指示を備える。
【００１２】
上で説明された方法、装置、および非一時的コンピュータ可読媒体のいくつかの例はさらに、複数の構成された基準信号処理のための構成情報とともに無線リソース制御(RRC)シグナリングを受信するための、プロセス、特徴、手段、または命令を含み得る。
【００１３】
ワイヤレス通信の方法が説明される。方法は、複数のスロットのうちの1つまたは複数のスロットにおいて送信されるべき1つまたは複数の基準信号を受信して処理するための複数の基準信号処理を用いてユーザ機器(UE)を構成するステップであって、複数の基準信号処理のうちの対応する基準信号処理を有する複数のスロットの各スロットが、スロットの位置に少なくとも一部基づく、ステップと、複数のスロットのうちの第1のスロットにおける非周期的な基準信号の存在を示すための制御信号を送信するステップと、複数の送信ビームのうちの送信ビームを介して第1のスロットにおいて非周期的な基準信号を送信するステップとを含み得る。
【００１４】
ワイヤレス通信のための装置が説明される。装置は、複数のスロットのうちの1つまたは複数のスロットにおいて送信されるべき1つまたは複数の基準信号を受信して処理するための複数の基準信号処理を用いてユーザ機器(UE)を構成するための手段であって、複数の基準信号処理のうちの対応する基準信号処理を有する複数のスロットの各スロットが、スロットの位置に少なくとも一部基づく、手段と、複数のスロットのうちの第1のスロットにおける非周期的な基準信号の存在を示すための制御信号を送信するための手段と、複数の送信ビームのうちの送信ビームを介して第1のスロットにおいて非周期的な基準信号を送信するための手段とを含み得る。
【００１５】
ワイヤレス通信のための別の装置が説明される。この装置は、プロセッサと、プロセッサと電子的に通信しているメモリと、メモリに記憶された命令とを含み得る。命令は、プロセッサに、複数のスロットのうちの1つまたは複数のスロットにおいて送信されるべき1つまたは複数の基準信号を受信して処理するための複数の基準信号処理を用いてユーザ機器(UE)を構成させ、複数の基準信号処理のうちの対応する基準信号処理を有する複数のスロットの各スロットが、スロットの位置に少なくとも一部基づき、複数のスロットのうちの第1のスロットにおける非周期的な基準信号の存在を示すための制御信号を送信させ、複数の送信ビームのうちの送信ビームを介して第1のスロットにおいて非周期的な基準信号を送信させるように動作可能であり得る。
【００１６】
ワイヤレス通信のための非一時的コンピュータ可読媒体が説明される。非一時的コンピュータ可読媒体は、プロセッサに、複数のスロットのうちの1つまたは複数のスロットにおいて送信されるべき1つまたは複数の基準信号を受信して処理するための複数の基準信号処理を用いてユーザ機器(UE)を構成させ、複数の基準信号処理のうちの対応する基準信号処理を有する複数のスロットの各スロットが、スロットの位置に少なくとも一部基づき、複数のスロットのうちの第1のスロットにおける非周期的な基準信号の存在を示すための制御信号を送信させ、複数の送信ビームのうちの送信ビームを介して第1のスロットにおいて非周期的な基準信号を送信させるように動作可能な命令を含み得る。
【００１７】
上で説明された方法、装置、および非一時的コンピュータ可読媒体のいくつかの例はさらに、非周期的な基準信号を送信したことに応答して、送信ビームを含むビームペアリンクの受信ビームを介して測定報告をUEから受信するための、プロセス、特徴、手段、または命令を含み得る。上で説明された方法、装置、および非一時的コンピュータ可読媒体のいくつかの例では、複数の基準信号処理の各々は、関連する基準信号送信のために構成される時間リソースまたは周波数リソースのうちの1つまたは複数を含む。上で説明された方法、装置、および非一時的コンピュータ可読媒体のいくつかの例では、複数の構成された基準信号処理のうちの対応する基準信号処理は、複数の構成された基準信号処理の数を法とするスロットインデックスの剰余として特定され得る。上で説明された方法、装置、および非一時的コンピュータ可読媒体のいくつかの例では、制御信号を送信することは、第1のスロットにおける基準信号の存在または不在を示すために、第1のスロットのダウンリンク制御情報(DCI)の中のインジケータを設定することを備える。
【００１８】
上で説明された方法、装置、および非一時的コンピュータ可読媒体のいくつかの例では、構成することは、複数の基準信号処理のための構成情報とともに無線リソース制御(RRC)シグナリングをUEに送信することを備える。
【図面の簡単な説明】
【００１９】
【図１】本開示の態様による、ワイヤレス通信における基準信号リソース捜索技法をサポートするワイヤレス通信のためのシステムの例を示す図である。
【図２】本開示の態様による、ワイヤレス通信における基準信号リソース捜索技法をサポートするワイヤレス通信システムの例を示す図である。
【図３】本開示の態様による、ワイヤレス通信における基準信号リソース捜索技法をサポートする基準信号リソースの例を示す図である。
【図４】本開示の態様による、ワイヤレス通信における基準信号リソース捜索技法をサポートする受信回路の例を示す図である。
【図５】本開示の態様による、ワイヤレス通信における基準信号リソース捜索技法をサポートするプロセスフローの例を示す図である。
【図６】本開示の態様による、ワイヤレス通信における基準信号リソース捜索技法をサポートするデバイスのブロック図である。
【図７】本開示の態様による、ワイヤレス通信における基準信号リソース捜索技法をサポートするデバイスのブロック図である。
【図８】本開示の態様による、ワイヤレス通信における基準信号リソース捜索技法をサポートするデバイスのブロック図である。
【図９】本開示の態様による、ワイヤレス通信における基準信号リソース捜索技法をサポートするUEを含むシステムのブロック図である。
【図１０】本開示の態様による、ワイヤレス通信における基準信号リソース捜索技法をサポートするデバイスのブロック図である。
【図１１】本開示の態様による、ワイヤレス通信における基準信号リソース捜索技法をサポートするデバイスのブロック図である。
【図１２】本開示の態様による、ワイヤレス通信における基準信号リソース捜索技法をサポートするデバイスのブロック図である。
【図１３】本開示の態様による、ワイヤレス通信における基準信号リソース捜索技法をサポートする基地局を含むシステムのブロック図である。
【図１４】本開示の態様による、ワイヤレス通信における基準信号リソース捜索技法のための方法を示す図である。
【図１５】本開示の態様による、ワイヤレス通信における基準信号リソース捜索技法のための方法を示す図である。
【発明を実施するための形態】
【００２０】
ミリメートル波(mmW)またはnew radio(NR)システムなどのワイヤレス通信システムでは、基地局およびユーザ機器(UE)は、通信のために指向性のビームを利用し得る。基地局がUEの具体的な方向を知らない場合、基地局は、UEへの送信に使用できる指向性のビームを知らないことがある。そのような場合、基地局は、そのようなUEが送信を受信する確率を高めるために、複数の異なる方向にビーム掃引方式で複数の指向性のビームを送信し得る。いくつかの場合、ビーム掃引は、UEと基地局との間の通信リンクを可能にするための適切なビームを発見して維持するために使用され得る、基準信号処理のために使用され得る。
【００２１】
さらに、所与のリンクに対して、UEは、チャネル品質を測定し、たとえば、適切なランクおよびプリコーディング行列を決定し得る。いくつかの例では、基地局は、チャネル状態情報基準信号(CSI-RS)バーストなどの基準信号バーストを送信することがあり、これは、掃引するまたは固定された基地局送信ビームと関連付けられることがある。送信ビームを適切に受信するために、UEは対応する受信ビームを使用することがあり、これは、(たとえば、アンテナ重みベクトルに従って)適切な受信指向性パターンをもつ適切なUEアンテナサブアレイを選択することによって構成されることがある。いくつかの基準信号処理では、基地局は、異なるアンテナサブアレイ、指向性パターン、またはこれらの組合せをUEが試すことを可能にするために、いくつかのシンボルにわたってビーム定数を保ち得る。
【００２２】
基準信号処理、または基準信号送信のために使用されるリソースに応じて、UEは、異なるシンボルに対して異なる指向性パターンを伴う異なるアンテナサブアレイを適用しなければならないことがある。いくつかの場合、基準信号送信を受信するために適用すべきパラメータを決定することは、比較的計算負荷が高いことがあり、そのような動作のためにUEがRF受信構成要素を事前に準備することを可能にすることで、より緩やかな時系列のもとで、場合によってはより低い処理電力でそのような処理が実行されることが可能になることがある。さらに、基地局は、基準信号処理にどのスロットを使用するかを決定する際の柔軟性から利益を得ることができる。しかしながら、基準信号処理がスロット内で行われることになる制御情報送信を通じてスロットの最初にUEをシグナリングすることと、あるリソースを使用することは、UEにおいて比較的大量の処理リソースを必要とすることがあり、これはプロセッササイズと電力消費の増大をもたらすことがある。
【００２３】
本開示の様々な態様は、基地局が基準信号処理の数を構成できることと、スロットのための特定のプロセスが構成された処理の数および無線フレーム内でのスロットの位置に基づいて特定され得ることとを提供する。したがって、UEは、パラメータを受信し、スロットの位置、構成された処理の数、またはこれらの組合せに基づいて、受信ハードウェアを構成し得る。次いで、スロットが基準信号送信を含むかどうかを示す指示がスロット送信とともに送信されることがあり、UEは、この指示に基づいて、構成された処理に従って基準信号を受信することを試みることがある。いくつかの場合、基準信号処理番号は、Nを法とする無線フレーム内でのスロット番号の剰余に等しいことがあり、Nは供給される基準信号処理の数より大きいことがある(たとえば、Nは4または8であり得る)。このことは、UEが前もって受信ビームの適切なシーケンスのためにRFハードウェアを準備しながら、スロット内の非周期的な基準信号をスケジューリングするための柔軟性を基地局に与えることも可能にする。
【００２４】
本開示の態様はまず、ワイヤレス通信システムの文脈で説明される。本開示の態様は、ワイヤレス通信における基準信号リソース捜索技法に関する装置図、システム図、およびフローチャートによってさらに図示され、それらを参照して説明される。
【００２５】
図1は、本開示の様々な態様による、ワイヤレス通信システム100の例を示す。ワイヤレス通信システム100は、基地局105と、UE115と、コアネットワーク130とを含む。いくつかの例では、ワイヤレス通信システム100は、LTE(もしくは、LTE-Advanced)ネットワーク、またはNRネットワークであり得る。いくつかの場合、ワイヤレス通信システム100は、ビームフォーミングされた送信ビームを使用した、拡張ブロードバンド通信、超高信頼(すなわち、ミッションクリティカル)通信、低レイテンシ通信、および低コストかつ低複雑度のデバイスとの通信をサポートすることがある。
【００２６】
基地局105は、1つまたは複数の基地局アンテナを介してUE115とワイヤレスに通信し得る。各基地局105は、それぞれの地理的カバレッジエリア110に通信カバレッジを提供し得る。ワイヤレス通信システム100において示される通信リンク125は、UE115から基地局105へのアップリンク送信または基地局105からUE115へのダウンリンク送信を含み得る。制御情報およびデータは、様々な技法に従ってアップリンクチャネルまたはダウンリンク上で多重化され得る。制御情報およびデータは、たとえば、時分割多重化(TDM)技法、周波数分割多重化(FDM)技法、またはハイブリッドTDM-FDM技法を使用して、ダウンリンクチャネル上で多重化され得る。いくつかの例では、ダウンリンクチャネルの送信時間間隔(TTI)の間に送信される制御情報は、カスケード方式で異なる制御領域に(たとえば、共通制御領域と1つまたは複数のUE固有制御領域とに)分散され得る。
【００２７】
UE115はワイヤレス通信システム100全体にわたって分散していることがあり、各UE115は固定式または移動式であり得る。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。UE115はまた、携帯電話、携帯情報端末(PDA)、ワイヤレスモデム、ワイヤレス通信デバイス、ハンドヘルドデバイス、タブレットコンピュータ、ラップトップコンピュータ、コードレス電話、個人向け電子デバイス、ハンドヘルドデバイス、パーソナルコンピュータ、ワイヤレスローカルループ(WLL)局、Internet of things(IoT)デバイス、Internet of Everything(IoE)デバイス、マシンタイプ通信(MTC)デバイス、家電機器、自動車などであり得る。
【００２８】
基地局105は、コアネットワーク130と、および互いと通信し得る。たとえば、基地局105は、バックホールリンク132(たとえば、S1など)を通じてコアネットワーク130とインターフェースし得る。基地局105は、直接または間接的に(たとえば、コアネットワーク130を通して)のいずれかで、バックホールリンク134(たとえば、X2など)を通じて互いに通信し得る。基地局105は、UE115との通信のための無線構成およびスケジューリングを実行することがあり、または基地局コントローラ(図示せず)の制御下で動作することがある。いくつかの例では、基地局105は、マクロセル、スモールセル、ホットスポットなどであり得る。基地局105は、eNodeB(eNB)105と呼ばれることもある。
【００２９】
基地局105は、S1インターフェースによってコアネットワーク130に接続され得る。コアネットワーク130は、evolved packet core(EPC)であることがあり、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含み得る。MMEは、UE115とEPCとの間のシグナリングを処理する制御ノードであり得る。すべてのユーザインターネットプロトコル(IP)パケットは、それ自体がP-GWに接続され得る、S-GWを通じて転送され得る。P-GWは、IPアドレス割振りならびに他の機能を提供し得る。P-GWは、ネットワーク事業者のIPサービスに接続され得る。事業者のIPサービスは、インターネット、イントラネット、IPマルチメディアサブシステム(IMS)、およびパケット交換ストリーミングサービス(PSS)を含み得る。
【００３０】
ワイヤレス通信システム100は、700MHzから2600MHz(2.6GHz)の周波数帯域を使用する超高周波(UHF)周波数領域で動作し得るが、いくつかの場合には、WLANネットワークは、4GHzもの高い周波数を使用し得る。この領域は、デシメートル帯域として知られることもあり、その理由は、波長が約1デシメートルから1メートルの長さに及ぶからである。UHF波は、主に見通し線によって伝搬することがあり、建物および環境的な地物によって遮蔽されることがある。しかしながら、この波は、屋内に位置するUE115にサービスを提供するのに十分な程度に壁を貫通することがある。UHF波の送信は、スペクトルの高周波(HF)または超高周波(VHF)部分のより低い周波数(および、より長い波)を使用する送信と比較して、より小型のアンテナおよびより短い距離(たとえば、100km未満)によって特徴付けられる。いくつかの場合、ワイヤレス通信システム100は、スペクトルの極高周波(EHF:Extremely High Frequency)部分(たとえば、30GHzから300GHzまで)も利用し得る。この領域は、波長が約1ミリメートルから1センチメートルの長さに及ぶので、ミリメートル帯域として知られることもある。したがって、EHFアンテナは、UHFアンテナよりもさらに小型であり、より間隔が密であってもよい。いくつかの場合、これは、UE115内の(たとえば、指向性ビームフォーミングのための)アンテナアレイの使用を容易にし得る。しかしながら、EHF送信は、UHF送信よりもさらに大きい大気減衰を受けることがあり、距離がより短いことがある。
【００３１】
したがって、ワイヤレス通信システム100は、UE115と基地局105との間のミリ波(mmW)通信をサポートし得る。mmW帯域またはEHF帯域において動作するデバイスは、ビームフォーミングを可能にするために複数のアンテナを有し得る。すなわち、基地局105は、UE115との指向性の通信のためのビームフォーミング動作を行うために、複数のアンテナまたはアンテナアレイを使用し得る。(空間フィルタリングまたは指向性送信と呼ばれることもある)ビームフォーミングは、ターゲット受信機(たとえば、UE115)の方向にアンテナビーム全体、または指向性のビームをシェーピングし、かつ/またはステアリングするために、送信機(たとえば、基地局105)において使用され得る信号処理技法である。これは、特定の角度における送信される信号が強め合う干渉を受ける一方で、他が弱め合う干渉を受けるように、アンテナアレイ内の要素を組み合わせることによって達成され得る。
【００３２】
多入力多出力(MIMO)ワイヤレスシステムは、送信機(たとえば、基地局105)と受信機(たとえば、UE115)との間である送信方式を使用し、送信機と受信機の両方が、複数のアンテナを備える。ワイヤレス通信システム100のいくつかの部分は、ビームフォーミングを使用し得る。たとえば、基地局105は、基地局105がUE115との通信におけるビームフォーミングのために使用し得るアンテナポートのいくつかの行および列を有するアンテナアレイを有し得る。信号は、異なる方向において複数回送信され得る(たとえば、各送信は、異なるようにビームフォーミングされ得る)。いくつかの場合、基準信号処理(たとえば、CSI-RS処理)は、mmW受信機(たとえば、UE115)が基準信号を受信しながら複数のビーム(たとえば、アンテナサブアレイ)を試せるように、かつ、通信リンク125を確立して維持するための測定に複数のビームを使用できるように、構成され得る。
【００３３】
いくつかの場合、ワイヤレス通信システム100は、階層化プロトコルスタックに従って動作するパケットベースネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するために、パケットのセグメント化および再アセンブリを実行し得る。媒体アクセス制御(MAC)レイヤは、優先度処理、およびトランスポートチャネルへの論理チャネルの多重化を実行し得る。MACレイヤはまた、MACレイヤにおける再送信を行ってリンク効率を改善するために、ハイブリッドARQ(HARQ)を使用し得る。制御プレーンでは、無線リソース制御(RRC)プロトコルレイヤが、ユーザプレーンデータのための無線ベアラをサポートする、UE115とネットワークデバイス105またはコアネットワーク130との間のRRC接続の確立、構成、および保守を行い得る。物理(PHY)レイヤにおいて、トランスポートチャネルが物理チャネルにマッピングされ得る。
【００３４】
LTEまたはNRにおける時間間隔は、(Ts=1/30,720,000秒のサンプリング周期であり得る)基本時間単位の倍数で表され得る。時間リソースは、0から1023にわたるシステムフレーム番号(SFN)によって識別され得る、10ms(Tf=307200Ts)の長さの無線フレームに従って編成され得る。各フレームは、0から9の番号を付けられた10個の1msサブフレームを含み得る。サブフレームはさらに、2つの0.5msのスロットへと分割されることがあり、これらの各々が、6個または7個の変調シンボル期間(各シンボルの先頭に追加されるサイクリックプレフィックスの長さに依存する)を含む。サイクリックプレフィックスを除いて、各シンボルは2048個のサンプル期間を含む。いくつかの場合、サブフレームは、TTIとしても知られる最小のスケジューリング単位であり得る。他の場合には、TTIは、サブフレームよりも短いことがあるか、または(たとえば、短いTTIバーストにおいて、または短いTTIを使用する選択されたコンポーネントキャリアにおいて)動的に選択されることがある。
【００３５】
いくつかの場合、ワイヤレスシステム100は、免許無線周波数スペクトル帯域と免許不要無線周波数スペクトル帯域の両方を使用し得る。たとえば、ワイヤレスシステム100は、5Ghz産業、科学、および医療(ISM)帯域などの免許不要帯域において、LTE License Assisted Access(LTE-LAA)もしくはLTE Unlicensed(LTE U)無線アクセス技術またはNR技術を利用し得る。免許不要無線周波数スペクトル帯域において動作するとき、基地局105およびUE115などのワイヤレスデバイスは、データを送信する前にチャネルがクリアであることを保証するためにリッスンビフォアトーク(LBT)手順を利用し得る。いくつかの場合、免許不要帯域における動作は、免許帯域において動作するCCと連携したCA構成に基づき得る。免許不要スペクトルにおける動作は、ダウンリンク送信、アップリンク送信、または両方を含み得る。免許不要スペクトルにおける複信は、周波数分割複信(FDD)、時分割複信(TDD)、または両方の組合せに基づき得る。
【００３６】
上で示されたように、いくつかの例では、UE115および基地局105は、通信のために指向性のビームを使用することができ、UEと基地局との間の通信リンクを可能にするための適切なビームを発見して維持するためのビーム掃引技法を使用することができる。いくつかの場合、基地局105は、ある数の基準信号処理を構成することができ、無線フレーム内のスロットのための特定の処理は、構成されたプロセスの数、無線フレーム内でのスロットの位置、またはこれらの組合せに基づいて特定され得る。したがって、UE115は、受信パラメータを計算し、スロットの位置、構成されたプロセスの数に基づいて、受信ハードウェアを構成し得る。基地局105は、スロットが基準信号送信を含むかどうかを示す指示を(たとえば、スロットの中のDCIにおいて)送信することがあり、UE115は、この指示に基づいて、構成されたプロセスに従って基準信号を受信することを試みることがある。
【００３７】
図2は、本開示の様々な態様による、ワイヤレス通信における基準信号リソース捜索技法をサポートするワイヤレス通信システム200の例を示す。ワイヤレス通信システム200は、各々が図1を参照して説明された対応するデバイスの例であり得る、基地局105-aおよびUE115-aを含む。
【００３８】
ワイヤレス通信システム200は、基地局105-aとUE115-aとの間のビームフォーミングされた送信と関連付けられる周波数範囲で動作し得る。たとえば、ワイヤレス通信システム200は、mmW周波数範囲を使用して動作し得る。その結果、ビームフォーミングなどの信号処理技法が、エネルギーをコヒーレントに組み合わせて経路損失を克服するために使用され得る。例として、基地局105-aは複数のアンテナを含み得る。いくつかの事例では、各アンテナは、信号の位相シフトされたバージョンがある領域においては強め合うように干渉し、他の領域においては弱め合うように干渉するように、その位相シフトされたバージョンを送信し得る。たとえば、所望の方向に送信をステアリングするために、様々な位相シフトされたバージョンに重みが適用され得る。そのような技法(または同様の技法)は、基地局105-aのカバレッジエリア110-aを拡大し、またはワイヤレス通信システム200に別様に利益をもたらすことに役立つことがある。
【００３９】
送信ビーム205-aおよび205-bは、情報がその上で送信され得るビームの例を表す。したがって、各送信ビーム205は、基地局105-aからカバレッジエリア110-aの異なる領域へと向けられることがあり、いくつかの場合、2つ以上のビームが重複することがある。送信ビーム205-aおよび205-bは、同時に、または異なる時間に送信され得る。いずれの場合でも、UE115-aは、それぞれの受信ビーム210を介して1つまたは複数の送信ビーム205を受信することが可能であり得る。
【００４０】
一例では、UE115-aは1つまたは複数の受信ビーム210を形成し得る。基地局105-aと同様に、UE115-aは複数のアンテナを含み得る。いくつかの場合、受信ビーム210は単一の送信ビーム205を受信し得る。いくつかの場合、送信ビーム205および対応する受信ビーム210はビームペアリンク215とも呼ばれることがある。所望のビームペアリンク215を特定するための様々な方法が、本開示の範囲内にあると見なされる。たとえば、いくつかの場合、基地局105-aは複数の送信ビーム205の上で(たとえば、あらゆる方向に)送信を繰り返すことがあり、UE115-aは最も強い受信されたビームを(たとえば、複数の受信ビーム210を必ずしも試すことなく)報告することがある。加えて、または代わりに、基地局105-aは、(たとえば、選択された送信ビーム205をUE115-aが精密に調整するのを助けるために)小さい角度領域にわたって複数の送信ビーム205を送信することがある。さらに、いくつかの場合、基地局105-aは、(たとえば、UE115-aが複数の受信ビーム210を比較することを可能にするために)単一の送信ビーム(たとえば、送信ビーム205-a)の送信を複数回繰り返すことがある。
【００４１】
いくつかの例では、送信ビーム205は、CSI-RS220を含み得るダウンリンク送信を搬送することがあり、異なるCSI-RS処理は、無線フレーム内の異なるスロットにおいて構成されることがあるので、第1のCSI-RS送信220-a、第2のCSI-RS送信220-b、および第3のCSI-RS送信220-cなどの複数の送信をもたらす。基地局105-aは、複数の送信ビーム205を使用してUE115-aに送信することがあり、UE115-aは、様々な受信ビーム210を作成するために異なるアンテナサブアレイを使用することがある。たとえば、セル取得手順の間、UE115-aは、異なる受信ビーム210を使用して1つまたは複数の送信ビーム205を受信することがあり、最も強い信号を有する(すなわち、最も高い測定された信号強度または最も高い信号対雑音比(SNR)などを有する)送信ビーム205と受信ビーム210のペアを決定することがある。通信全体にわたって、UE115-aは、送信ビームと受信ビームのペアを再評価することがある(たとえば、これはビーム管理と呼ばれることがある)。
【００４２】
上で論じられたように、基地局105-aは、ある数の基準信号処理を構成し得る。処理の各々は、たとえば、所与のビームの粗いビーム探索または精密な調整と関連付けられ得る(たとえば、異なるアンテナポートまたはアンテナポートの組合せに対する異なる処理が同時に実行され得る)。スロットのための特定の処理は、構成された処理の数およびスロットインデックスに基づいて(たとえば、構成された処理の数を法とするスロットインデックスの剰余として)特定され得る。したがって、UE115-aは、受信パラメータを計算し、スロットの位置、構成されたプロセスの数に基づいて、受信ハードウェアを構成し得る。基地局105-aは、スロットが基準信号送信(たとえば、CSI-RS220の送信)を含むかどうかを示す指示を(たとえば、スロットの中のDCIにおいて)送信することがあり、UE115は、この指示に基づいて、構成されたプロセスに従って基準信号を受信することを試みることがある。
【００４３】
図3は、本開示の様々な態様による、ワイヤレス通信における基準信号リソース捜索技法をサポートする基準信号リソース300の例を示す。いくつかの例では、基準信号リソース300は、ワイヤレス通信システム100の態様を実装するために使用され得る。
【００４４】
図3の例では、ある数のスロット305が構成されることがあり、各スロット305は、CSI-RS処理などの関連する基準信号処理を有することがある。この例では、第1の基準信号処理310-a、第2の基準信号処理310-b、第3の基準信号処理310-c、および第4の基準信号処理310-dを含み得る、4つの基準信号処理310が構成され得る。スロット305のための特定の基準信号処理310は、構成された基準信号処理310の数および無線フレーム内でのスロット305の位置に基づいて特定され得る。たとえば、無線フレームは10個のサブフレームを含むことがあり、各サブフレームは2つのスロット305を有するので、1つの無線フレームの中に20個のスロットがある。各スロット305は、スロットインデックス(たとえば、無線フレームにおいてスロット0からスロット19)によって特定され得る。さらに、各基準信号処理310は処理番号を有し得る。いくつかの例では、スロット305のための特定の基準信号処理310は、基準信号処理310の数および無線フレーム内でのスロット305の位置に基づいて決定され得る。いくつかの例では、スロット305のための基準信号処理310の番号は、Nを法とする無線フレーム内でのスロット305の番号の剰余に等しいことがあり、Nは構成された基準信号処理の数より大きい。図3の例では、Nは4であり得るので、第1の基準信号処理310-aは、4個のスロット305おきに構成され得る。他の例では、基準信号処理310を決定するために使用されるスロットインデックスまたはサブフレームインデックスは、システムフレーム番号またはシステムスロット番号(たとえば、0〜1023の範囲内などの)などのシステムインデックスであり得る。したがって、基準信号処理は、異なるフレーム間で同じ順序を有しないことがある。
【００４５】
次いで、スロット305が基準信号処理310のための基準信号送信を含むかどうかを示す指示がスロット305内で制御情報315において送信されることがあり、UEは、この指示に基づいて、構成された処理に従って基準信号を受信することを試みることがある。このことは、UEが前もって受信ビームの適切なシーケンスのためにRFハードウェアを準備しながら、スロット内の基準信号処理をスケジューリングするための柔軟性を基地局に与えることも可能にする。
【００４６】
図4は、本開示の様々な態様による、ワイヤレス通信における基準信号リソース捜索技法をサポートする受信回路400の例を示す。いくつかの例では、受信回路400は、ワイヤレス通信システム100の態様を実装し得る。
【００４７】
受信回路400は、低雑音増幅器(LNA)420および利得/位相調整構成要素430と各々結合される、いくつかの受信アンテナ410を含み得る。受信ビームフォーミングコントローラ425は、特定のスロットのために構成され得る受信ビームに基づいて、利得/位相調整構成要素430を制御し得る。加算器440は、利得/位相調整構成要素430の出力を合成し、加算された信号を混合器450、ダウンコンバータ460、およびアナログデジタルコンバータ470に出力し得る。
【００４８】
いくつかの例では、UEは、対象の送信ビームの様々な送信ビームパラメータに基づいて受信回路を構成し得る。基準信号処理またはリソースセットに応じて、受信ビームフォーミングコントローラ425は、受信ビームにおいて所望の指向性を達成するようにLNA420および利得/位相調整構成要素430を調整することによって、異なるシンボルに対して異なる指向性パターンをもつ異なるアンテナサブアレイを適用し得る。いくつかの場合、受信回路はUEの受信機の中のアナログ回路として実装されることがあり、これは、信号を受信する前の追加の時間が適切に設定されることを必要とすることがあり、このことが、上で論じられたような時系列の制約をUEが処理することに加わることがある。受信ビームフォーミングコントローラ425がスロットの前に関連するパラメータを計算し得る例では、UEは追加の処理時間を有することがあり、これにより、より複雑度の低いプロセッサまたはより低コストの構成要素が可能になることがあり、コストおよび電力消費が減ることがある。
【００４９】
図5は、本開示の様々な態様による、ワイヤレス通信における基準信号リソース捜索技法をサポートするプロセスフロー500の例を示す。いくつかの例では、プロセスフロー500は、ワイヤレス通信システム100の態様を実装し得る。プロセスフロー500はUE115-bおよび基地局105-bを含み、それらの各々は図1および図2を参照して上で説明された対応するデバイスの例であり得る。
【００５０】
505において、基地局105-bおよびUE115-bは通信リンクを確立し得る(たとえば、これは図1を参照して説明されたような通信リンク125の例であり得る)。たとえば、505における通信リンクは、ビームフォーミングされた通信をサポートし得る。いくつかの場合、ビームペアリンクがビーム掃引手順を使用して確立されることがあり、ビーム掃引手順において、基地局105-bは複数の送信ビーム上で送信を繰り返すことがあり、UE115-bは最も強い受信されたビームを報告することがある。加えて、または代わりに、基地局105-bは、選択された送信ビームをUE115-bが精密に調整するのを助けるために小さい角度領域にわたって複数の送信ビームを送信することがある。
【００５１】
510において、基地局105-bは基準信号処理を構成し得る。いくつかの場合、基準信号処理はある数の処理を含むことがあり、処理のうちの1つが、処理の数および特定のスロットの位置のうちの1つまたは複数(たとえば、処理の数を法とするスロットインデックスの剰余など)に基づいて、その特定のスロットに対して選択され得る。いくつかの場合、処理は、基準信号送信のための時間リソース、基準信号送信のための周波数リソース、またはこれらの組合せを含み得る。いくつかの場合、基準信号処理はまた、送信ビームの精密な調整を可能にし得る調整パラメータを含み得る。基地局105-bは構成情報515をUE115-bに送信することがあり、構成情報515は構成された基準信号処理を含むことがある。
【００５２】
520において、UE115-bは、基準信号を受信するための基準信号処理を特定し得る。そのような特定は、時間リソース、周波数リソース、またはこれらの組合せを特定することを含むことがあり、これらは、基準信号処理の数および無線フレーム内での特定のスロットの位置のうちの1つまたは複数に基づいて、無線フレーム内の異なるスロットに対して別々に特定され得る。いくつかの場合、基準信号処理番号は、Nを法とする無線フレーム内でのスロット番号の剰余に等しいことがあり、Nは供給される基準信号処理の数より大きいことがある(たとえば、Nは4または8であり得る)。このことは、UE115-bが前もって受信ビームの適切なシーケンスのためにRFハードウェアを準備しながら、スロット内で非周期的な基準信号をスケジューリングするための柔軟性を基地局に与えることも可能にする。
【００５３】
530において、UE115-bは、基準信号処理およびスロット位置に基づいて受信パラメータを計算し得る。いくつかの場合、パラメータは、UE115-bにおけるアンテナサブアレイのうちのどのアンテナが使用されるべきかということのために、ならびに、各アンテナにおいて適用されるべき重みおよび位相シフトのために計算され得る。
【００５４】
535において、UE115-bは受信回路を構成し得る。受信回路の構成は、計算された受信パラメータに従って様々なアナログRF構成要素を構成することを含み得る。いくつかの例では、UE115-bにおける受信ビームフォーミングコントローラは、受信ビームにおいて所望の指向性を達成するようにLNAおよび利得/位相調整構成要素を調整することによって、異なるシンボルに対して異なる指向性パターンをもつ異なるアンテナサブアレイを適用し得る。
【００５５】
基地局105-bは、525において、基準信号送信のためのスロットを決定し得る。いくつかの場合、基地局105-bは、チャネル品質の様相、以前の基準信号処理からのタイミング、または1つまたは複数の他の要因などの、様々な要因に基づいて基準信号処理のためのスロットを決定し得る。基準信号処理があるスロットのために構成されるべきであることを基地局105-bが決定する場合、基地局105-bは、たとえば、そのスロットにおける基準信号送信の存在または不在を示すためのフラグを設定し得る。そのような指示540は、スロットのために構成されたリソースの中で基準信号送信545の前にUE115-bへ送信され得る。基地局105-bにおけるそのような決定は、非周期的な基準信号送信を基地局がスケジューリングすることを可能にすることがあり、それは、周期的な基準信号送信が、基準信号送信の存在または不在の指示なしで事前構成され送信されるからである。
【００５６】
UE115-bは、550において、基準信号処理を実行することができ、いくつかの場合、測定報告555を基地局105-bに送信することができる。基準信号処理はチャネル状態報告を含むことがあり、これは、基準信号のためのエネルギー測定、干渉および雑音の測定、またはこれらの任意の組合せを含むことがある。
【００５７】
図6は、本開示の態様による、ワイヤレス通信における基準信号リソース捜索技法をサポートするワイヤレスデバイス605のブロック図600を示す。ワイヤレスデバイス605は、本明細書で説明されたようなユーザ機器(UE)115の態様の例であり得る。ワイヤレスデバイス605は、受信機610と、UE基準信号マネージャ615と、送信機620とを含み得る。ワイヤレスデバイス605はプロセッサも含み得る。これらの構成要素の各々は、(たとえば、1つまたは複数のバスを介して)互いに通信していてよい。
【００５８】
受信機610は、パケット、ユーザデータ、または様々な情報チャネル(たとえば、制御チャネル、データチャネル、およびワイヤレス通信における基準信号リソース捜索技法に関する情報など)と関連付けられた制御情報などの、情報を受信し得る。情報はデバイスの他の構成要素に渡されてよい。受信機610は、図9を参照して説明されるトランシーバ935の態様の例であり得る。受信機610は、単一のアンテナまたはアンテナのセットを利用し得る。
【００５９】
UE基準信号マネージャ615は、図9を参照して説明されるUE基準信号マネージャ915の態様の例であり得る。
【００６０】
UE基準信号マネージャ615および/またはその様々な下位構成要素のうちの少なくともいくつかは、ハードウェア、プロセッサによって実行されるソフトウェア、ファームウェア、またはそれらの任意の組合せで実装されてもよい。プロセッサによって実行されるソフトウェアで実装される場合、UE基準信号マネージャ615および/またはその様々な下位構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示において説明する機能を実施するように設計されたそれらの任意の組合せによって実行され得る。UE基準信号マネージャ615および/またはその様々な下位構成要素のうちの少なくともいくつかは、機能の一部が1つまたは複数の物理デバイスによって異なる物理的位置に実装されるように分散されることを含めて、様々な場所に物理的に配置されてもよい。いくつかの例では、UE基準信号マネージャ615および/またはその様々な下位構成要素のうちの少なくともいくつかは、本開示の様々な態様による分離した別個の構成要素であってもよい。他の例では、UE基準信号マネージャ615および/またはその様々な下位構成要素のうちの少なくともいくつかは、限定はされないが、I/O構成要素、トランシーバ、ネットワークサーバ、別のコンピューティングデバイス、本開示で説明された1つまたは複数の他の構成要素、または本開示の様々な態様によるそれらの組合せを含む、1つまたは複数の他のハードウェア構成要素と結合され得る。
【００６１】
UE基準信号マネージャ615は、スロットのセットのうちの少なくとも1つのために、スロットの位置および構成された基準信号処理の数のうちの1つまたは複数に基づいて、構成された基準信号処理のセットの対応する基準信号処理を特定し、対応する基準信号処理に基づいてスロットのセットのうちの少なくとも1つにおいて受信ビーム上で基準信号送信を受信するように受信回路を構成し、スロットのセットのうちの少なくとも1つの中での基準信号送信の存在を示す制御信号を受信し、制御信号および構成された受信回路に基づいてスロットのセットのうちの少なくとも1つにおいて基準信号を受信し得る。
【００６２】
送信機620は、デバイスの他の構成要素によって生成された信号を送信し得る。いくつかの例では、送信機620は、トランシーバモジュールにおいて受信機610と併置され得る。たとえば、送信機620は、図9を参照して説明されるトランシーバ935の態様の例であり得る。送信機620は、単一のアンテナまたはアンテナのセットを使用し得る。
【００６３】
図7は、本開示の態様による、ワイヤレス通信における基準信号リソース捜索技法をサポートするワイヤレスデバイス705のブロック図700を示す。ワイヤレスデバイス705は、図6を参照して説明されたようなワイヤレスデバイス605またはUE115の態様の例であり得る。ワイヤレスデバイス705は、受信機710と、UE基準信号マネージャ715と、送信機720とを含み得る。ワイヤレスデバイス705はプロセッサも含み得る。これらの構成要素の各々は、(たとえば、1つまたは複数のバスを介して)互いに通信していてよい。
【００６４】
受信機710は、パケット、ユーザデータ、または様々な情報チャネル(たとえば、制御チャネル、データチャネル、およびワイヤレス通信における基準信号リソース捜索技法に関する情報など)と関連付けられた制御情報などの、情報を受信し得る。情報はデバイスの他の構成要素に渡されてよい。受信機710は、図9を参照して説明されるトランシーバ935の態様の例であり得る。受信機710は、単一のアンテナまたはアンテナのセットを利用し得る。
【００６５】
UE基準信号マネージャ715は、図9を参照して説明されるUE基準信号マネージャ915の態様の例であり得る。UE基準信号マネージャ715はまた、基準信号処理マネージャ725、受信ビームフォーミングコントローラ730、制御信号特定構成要素735、および受信ビームマネージャ740を含み得る。
【００６６】
基準信号処理マネージャ725は、スロットのセットのうちの少なくとも1つのために、スロットの位置および構成された基準信号処理のセットの数のうちの1つまたは複数に基づいて、構成された基準信号処理のセットの対応する基準信号処理を特定し得る。いくつかの場合、基準信号処理マネージャ725は、構成された基準信号処理のセットための構成情報とともに無線リソース制御(RRC)シグナリングを受信し得る。いくつかの場合、構成された基準信号処理のセットの各々は、関連する基準信号送信のために構成される時間リソースまたは周波数リソースのうちの1つまたは複数を含む。
【００６７】
受信ビームフォーミングコントローラ730は、対応する基準信号処理に基づいて、スロットのセットのうちの少なくとも1つにおいて受信ビーム上で基準信号送信を受信するように受信回路を構成し得る。たとえば、基準信号処理またはリソースセットに応じて、受信ビームフォーミングコントローラ730は、受信ビームにおいて所望の指向性を達成するようにLNAおよび利得/位相調整構成要素を調整することによって、異なるシンボルに対して異なる指向性パターンをもつ異なるアンテナサブアレイを適用し得る。いくつかの場合、受信回路はUEの受信機の中のアナログ回路として実装されることがあり、これは、信号を受信する前の追加の時間が適切に設定されることを必要とすることがあり、このことが、上で論じられたような時系列の制約をUEが処理することに加わることがある。受信ビームフォーミングコントローラ730がスロットの前に関連するパラメータを計算し得る例では、UEは追加の処理時間を有し得る。
【００６８】
制御信号特定構成要素735は、スロットのセットのうちの少なくとも1つの中での基準信号送信の存在を示す制御信号を受信し得る。いくつかの場合、制御信号は、スロットのセットのうちの少なくとも1つの中にダウンリンク制御情報(DCI)の中の指示を含む。
【００６９】
受信ビームマネージャ740は、制御信号および構成された受信回路に基づいて、スロットのセットのうちの少なくとも1つにおいて基準信号を受信し得る。受信された基準信号はチャネル状態測定を実行するために処理されることがあり、これは、基準信号のためのエネルギー測定、干渉および雑音の測定、またはこれらの任意の組合せを含むことがある。
【００７０】
送信機720は、デバイスの他の構成要素によって生成された信号を送信し得る。いくつかの例では、送信機720は、トランシーバモジュールにおいて受信機710と併置され得る。たとえば、送信機720は、図9を参照して説明されるトランシーバ935の態様の例であり得る。送信機720は、単一のアンテナまたはアンテナのセットを利用し得る。
【００７１】
図8は、本開示の態様による、ワイヤレス通信における基準信号リソース捜索技法をサポートするUE基準信号マネージャ815のブロック図800を示す。UE基準信号マネージャ815は、図6、図7、および図9を参照して説明されたUE基準信号マネージャ615、UE基準信号マネージャ715、またはUE基準信号マネージャ915の態様の例であり得る。UE基準信号マネージャ815は、基準信号処理マネージャ820、受信ビームフォーミングコントローラ825、制御信号特定構成要素830、受信ビームマネージャ835、および処理特定構成要素840を含み得る。これらのモジュールの各々は、直接または間接的に互いと(たとえば、1つまたは複数のバスを介して)通信し得る。
【００７２】
基準信号処理マネージャ820は、スロットのセットのうちの少なくとも1つのために、スロットの位置および構成された基準信号処理のセットの数のうちの1つまたは複数に基づいて、構成された基準信号処理のセットの対応する基準信号処理を特定し得る。基準信号処理マネージャ820は、構成された基準信号処理のセットための構成情報とともにRRCシグナリングも受信し得る。いくつかの場合、構成された基準信号処理のセットの各々は、関連する基準信号送信のために構成される時間リソースまたは周波数リソースのうちの1つまたは複数を含む。
【００７３】
受信ビームフォーミングコントローラ825は、対応する基準信号処理に基づいて、スロットのセットのうちの少なくとも1つにおいて受信ビーム上で基準信号送信を受信するように受信回路を構成し得る。たとえば、基準信号処理またはリソースセットに応じて、受信ビームフォーミングコントローラ825は、受信ビームにおいて所望の指向性を達成するようにLNAおよび利得/位相調整構成要素を調整することによって、異なるシンボルに対して異なる指向性パターンをもつ異なるアンテナサブアレイを適用し得る。いくつかの場合、受信回路はUEの受信機の中のアナログ回路として実装されることがあり、これは、信号を受信する前の追加の時間が適切に設定されることを必要とすることがあり、このことが、上で論じられたような時系列の制約をUEが処理することに加わることがある。受信ビームフォーミングコントローラ825がスロットの前に関連するパラメータを計算し得る例では、UEは追加の処理時間を有し得る。
【００７４】
制御信号特定構成要素830は、スロットのセットのうちの少なくとも1つの中での基準信号送信の存在を示す制御信号を受信し得る。いくつかの場合、制御信号は、スロットのセットのうちの少なくとも1つの中にDCIの中の指示を含む。
【００７５】
受信ビームマネージャ835は、制御信号および構成された受信回路に基づいて、スロットのセットのうちの少なくとも1つにおいて基準信号を受信し得る。受信された基準信号はチャネル状態測定を実行するために処理されることがあり、これは、基準信号のためのエネルギー測定、干渉および雑音の測定、またはこれらの任意の組合せを含むことがある。
【００７６】
処理特定構成要素840は、基準信号処理を特定し得る。いくつかの場合、構成された基準信号処理のセットのうちの対応する基準信号処理は、構成された基準信号処理のセットの数を法とするスロットインデックスの剰余として特定される。
【００７７】
図9は、本開示の様々な態様による、ワイヤレス通信における基準信号リソース捜索技法をサポートするデバイス905を含むシステム900の図を示す。デバイス905は、たとえば、図6および図7を参照して説明されたような、ワイヤレスデバイス605、ワイヤレスデバイス705、もしくはUE115の構成要素の例であり得るか、またはそれを含み得る。デバイス905は、UE基準信号マネージャ915、プロセッサ920、メモリ925、ソフトウェア930、トランシーバ935、アンテナ940、およびI/Oコントローラ945を含む、通信を送信および受信するための構成要素を含む、双方向音声およびデータ通信のための構成要素を含み得る。これらの構成要素は、1つまたは複数のバス(たとえば、バス910)を介して電子通信し得る。デバイス905は、1つまたは複数の基地局105とワイヤレスに通信し得る。
【００７８】
プロセッサ920は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含み得る。いくつかの場合、プロセッサ920は、メモリコントローラを使用して、メモリアレイを動作させるように構成され得る。他の場合には、メモリコントローラはプロセッサ920に統合され得る。プロセッサ920は、様々な機能(たとえば、ワイヤレス通信における基準信号リソース捜索技法をサポートする機能またはタスク)を実行するためにメモリに記憶されたコンピュータ可読命令を実行するように構成され得る。
【００７９】
メモリ925は、ランダムアクセスメモリ(RAM)と読取り専用メモリ(ROM)とを含み得る。メモリ925は、実行されると、プロセッサに、本明細書で説明される様々な機能を実行させる命令を含む、コンピュータ可読のコンピュータ実行可能ソフトウェア930を記憶し得る。いくつかの場合、メモリ925は、とりわけ、周辺構成要素またはデバイスとの相互作用などの基本的なハードウェア動作および/またはソフトウェア動作を制御し得る基本入出力システム(BIOS)を含み得る。
【００８０】
ソフトウェア930は、ワイヤレス通信における基準信号リソース捜索技法をサポートするためのコードを含む、本開示の態様を実装するためのコードを含み得る。ソフトウェア930は、システムメモリまたは他のメモリなどの、非一時的コンピュータ可読媒体に記憶され得る。いくつかの場合、ソフトウェア930は、プロセッサによって直接実行可能ではないことがあるが、(たとえば、コンパイルされ、実行されると)本明細書で説明される機能をコンピュータに実行させることがある。
【００８１】
トランシーバ935は、上で説明されたように、1つまたは複数のアンテナ、有線リンクまたはワイヤレスリンクを介して双方向に通信し得る。たとえば、トランシーバ935は、ワイヤレストランシーバを表すことがあり、別のワイヤレストランシーバと双方向に通信することがある。トランシーバ935はまた、送信のためにパケットを変調するとともに変調されたパケットをアンテナに提供するための、およびアンテナから受信されたパケットを復調するための、モデムを含み得る。
【００８２】
いくつかの場合、ワイヤレスデバイスは、単一のアンテナ940を含み得る。しかしながら、いくつかの場合、デバイスは、複数のワイヤレス送信を同時に送信または受信することが可能であり得る複数のアンテナ940を有し得る。
【００８３】
I/Oコントローラ945は、デバイス905のための入力信号および出力信号を管理し得る。I/Oコントローラ945はまた、デバイス905に統合されていない周辺装置を管理し得る。いくつかの場合、I/Oコントローラ945は、外部周辺装置への物理接続またはポートを表すことがある。いくつかの場合、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどの、オペレーティングシステムを利用し得る。他の場合には、I/Oコントローラ945は、モデム、キーボード、マウス、タッチスクリーン、または同様のデバイスを表し、またはそれと対話し得る。いくつかの場合、I/Oコントローラ945は、プロセッサの一部として実装され得る。いくつかの場合、ユーザは、I/Oコントローラ945を介して、またはI/Oコントローラ945によって制御されたハードウェア構成要素を介して、デバイス905と対話し得る。
【００８４】
図10は、本開示の態様による、ワイヤレス通信における基準信号リソース捜索技法をサポートするワイヤレスデバイス1005のブロック図1000を示す。ワイヤレスデバイス1005は、本明細書で説明されたような基地局105の態様の例であり得る。ワイヤレスデバイス1005は、受信機1010と、基地局基準信号マネージャ1015と、送信機1020とを含み得る。ワイヤレスデバイス1005はプロセッサも含み得る。これらの構成要素の各々は、(たとえば、1つまたは複数のバスを介して)互いに通信していてよい。
【００８５】
受信機1010は、パケット、ユーザデータ、または様々な情報チャネル(たとえば、制御チャネル、データチャネル、およびワイヤレス通信における基準信号リソース捜索技法に関する情報など)と関連付けられる制御情報などの、情報を受信し得る。情報はデバイスの他の構成要素に渡されてよい。受信機1010は、図13を参照して説明されるトランシーバ1335の態様の例であり得る。受信機1010は、単一のアンテナまたはアンテナのセットを利用し得る。
【００８６】
基地局基準信号マネージャ1015は、図13を参照して説明される基地局基準信号マネージャ1315の態様の例であり得る。
【００８７】
基地局基準信号マネージャ1015および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局基準信号マネージャ1015および/またはその様々な下位構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示において説明される機能を実行するように設計されたそれらの任意の組合せによって実行され得る。基地局基準信号マネージャ1015および/またはその様々な下位構成要素のうちの少なくともいくつかは、機能の一部が1つまたは複数の物理デバイスによって異なる物理的位置に実装されるように分散されることを含めて、様々な場所に物理的に配置されてよい。いくつかの例では、基地局基準信号マネージャ1015および/またはその様々な下位構成要素のうちの少なくともいくつかは、本開示の様々な態様による分離した別個の構成要素であり得る。他の例では、基地局基準信号マネージャ1015および/またはその様々な下位構成要素のうちの少なくともいくつかは、限定はされないが、I/O構成要素、トランシーバ、ネットワークサーバ、別のコンピューティングデバイス、本開示で説明された1つまたは複数の他の構成要素、または本開示の様々な態様によるそれらの組合せを含む、1つまたは複数の他のハードウェア構成要素と結合され得る。
【００８８】
基地局基準信号マネージャ1015は、スロットのセットのうちの1つまたは複数のスロットにおいて送信されるべき1つまたは複数の基準信号を受信して処理するための基準信号処理のセットを用いてUEを構成し、基準信号処理のセットのうちの対応する基準信号処理を有するスロットのセットの各スロットが、スロットの位置および構成された基準信号処理のセットの数のうちの1つまたは複数に基づき、スロットのセットのうちの第1のスロットにおいて送信ビームを介して非周期的な基準信号が送信されるべきであると決定し、第1のスロットにおける基準信号の存在を示すための制御信号を送信し、送信ビームを介して第1のスロットにおいて基準信号を送信し得る。
【００８９】
送信機1020は、デバイスの他の構成要素によって生成された信号を送信し得る。いくつかの例では、送信機1020は、トランシーバモジュールにおいて受信機1010と併置され得る。たとえば、送信機1020は、図13を参照して説明されるトランシーバ1335の態様の一例であり得る。送信機1020は、単一のアンテナまたはアンテナのセットを使用し得る。
【００９０】
図11は、本開示の態様による、ワイヤレス通信における基準信号リソース捜索技法をサポートするワイヤレスデバイス1105のブロック図1100を示す。ワイヤレスデバイス1105は、図10を参照して説明されたようなワイヤレスデバイス1005または基地局105の態様の例であり得る。ワイヤレスデバイス1105は、受信機1110と、基地局基準信号マネージャ1115と、送信機1120とを含み得る。ワイヤレスデバイス1105はプロセッサも含み得る。これらの構成要素の各々は、(たとえば、1つまたは複数のバスを介して)互いに通信していてよい。
【００９１】
受信機1110は、パケット、ユーザデータ、または様々な情報チャネル(たとえば、制御チャネル、データチャネル、およびワイヤレス通信における基準信号リソース捜索技法に関する情報など)と関連付けられる制御情報などの、情報を受信し得る。情報はデバイスの他の構成要素に渡されてよい。受信機1110は、図13を参照して説明されるトランシーバ1335の態様の例であり得る。受信機1110は、単一のアンテナまたはアンテナのセットを利用し得る。
【００９２】
基地局基準信号マネージャ1115は、図13を参照して説明される基地局基準信号マネージャ1315の態様の例であり得る。
【００９３】
基地局基準信号マネージャ1115はまた、基準信号処理マネージャ1125、リソース割振り構成要素1130、制御信号特定構成要素1135、および送信ビームマネージャ1140を含み得る。
【００９４】
基準信号処理マネージャ1125は、スロットのセットのうちの1つまたは複数のスロットにおいて送信されるべき1つまたは複数の基準信号を受信して処理するための基準信号処理のセットを用いてUEを構成することができ、基準信号処理のセットのうちの対応する基準信号処理を有するスロットのセットの各スロットが、スロットの位置および構成された基準信号処理のセットの数のうちの1つまたは複数に基づく。いくつかの場合、基準信号処理のセットの各々は、関連する基準信号送信のために構成される時間リソースまたは周波数リソースのうちの1つまたは複数を含む。いくつかの場合、構成することは、基準信号処理のセットのための構成情報とともにRRCシグナリングをUEに送信することを含む。
【００９５】
リソース割振り構成要素1130は、基準信号がスロットのセットのうちの第1のスロットにおいて送信されるべきであることを決定し得る。いくつかの場合、リソース割振り構成要素1130は、チャネル品質の様相、以前の基準信号処理からのタイミング、または1つまたは複数の他の要因などの、様々な要因に基づいて基準信号処理のためのスロットを決定し得る。制御信号特定構成要素1135は、第1のスロットにおける基準信号の存在を示すために、第1のスロットにおいて制御信号を送信し得る。いくつかの場合、制御信号を送信することは、第1のスロットにおける基準信号の存在または不在を示すために、第1のスロットのDCIにおいてインジケータを設定することを含む。送信ビームマネージャ1140は、第1のスロットにおいて基準信号を送信し得る。
【００９６】
送信機1120は、デバイスの他の構成要素によって生成された信号を送信し得る。いくつかの例では、送信機1120は、トランシーバモジュールにおいて受信機1110と併置され得る。たとえば、送信機1120は、図13を参照して説明されるトランシーバ1335の態様の例であり得る。送信機1120は、単一のアンテナまたはアンテナのセットを使用し得る。
【００９７】
図12は、本開示の態様による、ワイヤレス通信における基準信号リソース捜索技法をサポートする基地局基準信号マネージャ1215のブロック図1200を示す。基地局基準信号マネージャ1215は、図10、図11、および図13を参照して説明される基地局基準信号マネージャ1315の態様の例であり得る。基地局基準信号マネージャ1215は、基準信号処理マネージャ1220、リソース割振り構成要素1225、制御信号特定構成要素1230、送信ビームマネージャ1235、および処理特定構成要素1240を含み得る。これらのモジュールの各々は、直接または間接的に互いと(たとえば、1つまたは複数のバスを介して)通信し得る。
【００９８】
基準信号処理マネージャ1220は、スロットのセットのうちの1つまたは複数のスロットにおいて送信されるべき1つまたは複数の基準信号を受信して処理するための基準信号処理のセットを用いてUEを構成することができ、基準信号処理のセットのうちの対応する基準信号処理を有するスロットのセットの各スロットが、スロットの位置および構成された基準信号処理のセットの数に基づく。いくつかの場合、基準信号処理のセットの各々は、関連する基準信号送信のために構成される時間リソースまたは周波数リソースのうちの1つまたは複数を含む。いくつかの場合、構成することは、基準信号処理のセットのための構成情報とともにRRCシグナリングをUEに送信することを含む。
【００９９】
リソース割振り構成要素1225は、基準信号がスロットのセットのうちの第1のスロットにおいて送信されるべきであることを決定し得る。いくつかの場合、リソース割振り構成要素1130は、チャネル品質の様相、以前の基準信号処理からのタイミング、または1つまたは複数の他の要因などの、様々な要因に基づいて基準信号処理のためのスロットを決定し得る。制御信号特定構成要素1230は、第1のスロットにおける基準信号の存在を示すために、第1のスロットにおいて制御信号を送信し得る。いくつかの場合、制御信号を送信することは、第1のスロットにおける基準信号の存在または不在を示すために、第1のスロットのDCIにおいてインジケータを設定することを含む。送信ビームマネージャ1235は、第1のスロットにおいて基準信号を送信し得る。
【０１００】
処理特定構成要素1240は、基準信号処理を特定し得る。いくつかの場合、構成された基準信号処理のセットのうちの対応する基準信号処理は、構成された基準信号処理のセットの数を法とするスロットインデックスの剰余として特定される。
【０１０１】
図13は、本開示の様々な態様による、ワイヤレス通信における基準信号リソース捜索技法をサポートするデバイス1305を含むシステム1300の図を示す。デバイス1305は、たとえば、図1を参照して上で説明されたような、基地局105の構成要素の例であることがあり、またはそれを含むことがある。デバイス1305は、基地局基準信号マネージャ1315と、プロセッサ1320と、メモリ1325と、ソフトウェア1330と、トランシーバ1335と、アンテナ1340と、ネットワーク通信マネージャ1345と、局間通信マネージャ1350とを含む、通信を送信および受信するための構成要素を含む、双方向音声およびデータ通信のための構成要素を含み得る。これらの構成要素は、1つまたは複数のバス(たとえば、バス1310)を介して電子通信し得る。デバイス1305は、1つまたは複数のUE115とワイヤレスに通信し得る。
【０１０２】
プロセッサ1320は、インテリジェントハードウェアデバイス(たとえば、汎用プロセッサ、DSP、CPU、マイクロコントローラ、ASIC、FPGA、プログラム可能論理デバイス、個別ゲートもしくはトランジスタ論理構成要素、個別ハードウェア構成要素、またはそれらの任意の組合せ)を含み得る。いくつかの場合、プロセッサ1320は、メモリコントローラを使用して、メモリアレイを動作させるように構成され得る。他の場合には、メモリコントローラはプロセッサ1320に統合され得る。プロセッサ1320は、様々な機能(たとえば、ワイヤレス通信における基準信号リソース捜索技法をサポートする機能またはタスク)を実行するためにメモリに記憶されたコンピュータ可読命令を実行するように構成され得る。
【０１０３】
メモリ1325は、RAMとROMとを含み得る。メモリ1325は、実行されると、プロセッサに本明細書で説明される様々な機能を実行させる命令を含む、コンピュータ可読のコンピュータ実行可能ソフトウェア1330を記憶し得る。いくつかの場合には、メモリ1325は、とりわけ、周辺構成要素またはデバイスとの相互作用などの、基本的なハードウェアおよび/またはソフトウェア動作を制御し得るBIOSを含み得る。
【０１０４】
ソフトウェア1330は、ワイヤレス通信における基準信号リソース捜索技法をサポートするためのコードを含む、本開示の態様を実装するためのコードを含み得る。ソフトウェア1330は、システムメモリまたは他のメモリなどの、非一時的コンピュータ可読媒体に記憶され得る。いくつかの場合、ソフトウェア1330は、プロセッサによって直接実行可能でないことがあるが、(たとえば、コンパイルされ、実行されると)本明細書で説明される機能をコンピュータに実行させ得る。
【０１０５】
トランシーバ1335は、上で説明されたように、1つまたは複数のアンテナ、有線リンクまたはワイヤレスリンクを介して双方向に通信し得る。たとえば、トランシーバ1335は、ワイヤレストランシーバを表すことがあり、別のワイヤレストランシーバと双方向に通信することがある。トランシーバ1335はまた、送信のためにパケットを変調するとともに変調されたパケットをアンテナに提供するための、およびアンテナから受信されたパケットを復調するための、モデムを含み得る。
【０１０６】
いくつかの場合、ワイヤレスデバイスは、単一のアンテナ1340を含み得る。しかしながら、いくつかの場合、デバイスは、複数のワイヤレス送信を同時に送信または受信することが可能であり得る複数のアンテナ1340を有し得る。
【０１０７】
ネットワーク通信マネージャ1345は、(たとえば、1つまたは複数の有線バックホールリンクを介した)コアネットワークとの通信を管理し得る。たとえば、ネットワーク通信マネージャ1345は、1つまたは複数のUE115などのクライアントデバイスのためのデータ通信の転送を管理し得る。
【０１０８】
局間通信マネージャ1350は、他の基地局105との通信を管理することができ、他の基地局105と協調してUE115との通信を制御するためのコントローラまたはスケジューラを含み得る。たとえば、局間通信マネージャ1350は、ビームフォーミングまたはジョイント送信などの様々な干渉軽減技法のために、UE115への送信のためのスケジューリングを調整し得る。いくつかの例では、局間通信マネージャ1350は、基地局105間の通信を行うために、Long Term Evolution(LTE)/LTE-Aワイヤレス通信ネットワーク技術内のX2インターフェースを提供し得る。
【０１０９】
図14は、本開示の態様による、ワイヤレス通信における基準信号リソース捜索技法のための方法1400を示すフローチャートを示す。方法1400の動作は、本明細書で説明されるように、UE115またはその構成要素によって実施され得る。たとえば、方法1400の動作は、図6〜図9を参照して説明されたような、UE基準信号マネージャによって実行され得る。いくつかの例では、UE115は、以下で説明される機能を実行するようにデバイスの機能要素を制御するためのコードのセットを実行し得る。加えて、または代わりに、UE115は、専用ハードウェアを使用して、以下で説明される機能の態様を実行し得る。
【０１１０】
任意選択のブロック1405において、UE115は、複数の構成された基準信号処理のための構成情報とともに無線リソース制御(RRC)シグナリングを受信し得る。ブロック1405の動作は、本明細書で説明される方法に従って実行され得る。いくつかの例では、ブロック1405の動作の態様は、図6〜図9を参照して説明されたような、基準信号処理マネージャによって実行され得る。いくつかの場合、RRCシグナリングは、UEにおける基準信号の監視および関連する報告のために使用され得る、利用可能な基準信号処理のセットを提供し得る。
【０１１１】
ブロック1410において、UE115は、複数のスロットのうちの少なくとも1つのために、スロットの位置に少なくとも一部基づいて、複数の構成された基準信号処理のうちの対応する基準信号処理を特定し得る。ブロック1410の動作は、本明細書で説明される方法に従って実行され得る。いくつかの例では、ブロック1410の動作の態様は、図6〜図9を参照して説明されたような、基準信号処理マネージャによって実行され得る。そのような特定は、時間リソース、周波数リソース、またはこれらの組合せを特定することを含むことがあり、これらは、基準信号処理の数および無線フレーム内での特定のスロットの位置に基づいて、無線フレーム内の異なるスロットに対して別々に特定され得る。いくつかの場合、基準信号処理番号は、Nを法とする無線フレーム内でのスロット番号の剰余に等しいことがあり、Nは供給される基準信号処理の数より大きいことがある(たとえば、Nは4または8であり得る)。このことは、UEが前もって受信ビームの適切なシーケンスのためにRFハードウェアを準備しながら、スロット内の非周期的な基準信号をスケジューリングするための柔軟性を基地局に与えることも可能にする。
【０１１２】
ブロック1415において、UE115は、対応する基準信号処理に少なくとも一部基づいて、複数のスロットのうちの少なくとも1つにおいて受信ビーム上で基準信号送信を受信するように受信回路を構成し得る。ブロック1415の動作は、本明細書で説明される方法に従って実行され得る。いくつかの例では、ブロック1415の動作の態様は、図6〜図9を参照して説明されたように、受信ビームフォーミングコントローラによって実行され得る。受信回路の構成は、計算された受信パラメータに従って様々なアナログRF構成要素を構成することを含み得る。いくつかの例では、UEにおける受信ビームフォーミングコントローラは、受信ビームにおいて所望の指向性を達成するようにLNAおよび利得/位相調整構成要素を調整することによって、異なるシンボルに対して異なる指向性パターンをもつ異なるアンテナサブアレイを適用し得る。
【０１１３】
ブロック1420において、UE115は、複数のスロットのうちの少なくとも1つにおける非周期的な基準信号の存在を示す制御信号を受信し得る。ブロック1420の動作は、本明細書で説明される方法に従って実行され得る。いくつかの例では、ブロック1420の動作の態様は、図6〜図9を参照して説明されたような、制御信号特定構成要素によって実行され得る。そのような指示はスロットにおける基準信号の存在または不在を示すことがあり、基準処理は構成された基準信号処理に基づいて(たとえば、スロットのスロット番号に基づいて)決定されることがある。そのような指示は、非周期的な基準信号送信を基地局がスケジューリングすることを可能にし得る。
【０１１４】
ブロック1425において、UE115は、制御信号および構成された受信回路に少なくとも一部基づいて、複数のスロットのうちの少なくとも1つにおいて基準信号を受信し得る。ブロック1425の動作は、本明細書で説明される方法に従って実行され得る。いくつかの例では、ブロック1425の動作の態様は、図6〜図9を参照して説明されたような、受信ビームマネージャによって実行され得る。UEは、基準信号を受信することの一部として、チャネル状態測定などの基準信号処理を実行することがあり、これは、基準信号のためのエネルギー測定、干渉および雑音の測定、またはこれらの任意の組合せを含むことがある。
【０１１５】
任意選択のブロック1430において、UE115は、非周期的な基準信号を受信したことに応答して、受信ビームを含むビームペアリンクの送信ビームを介して測定報告を基地局に送信し得る。ブロック1430の動作は、本明細書で説明される方法に従って実行され得る。いくつかの例では、ブロック1430の動作の態様は、図6〜図9を参照して説明されたような、基準信号処理マネージャによって実行され得る。UEは、測定報告を送信することの一部として、チャネル状態測定などの基準信号処理からの測定結果を送信することがあり、これは、基準信号のためのエネルギー測定、干渉および雑音の測定、またはこれらの任意の組合せを含むことがある。送信ビームは、スロットのために構成されたリソースを使用することがあり、基準信号処理と関連付けられるビームフォーミングパラメータに従って送信されることがある。
【０１１６】
図15は、本開示の態様による、ワイヤレス通信における基準信号リソース捜索技法のための方法1500を示すフローチャートを示す。方法1500の動作は、本明細書で説明されたような基地局105またはその構成要素によって実施され得る。たとえば、方法1500の動作は、図10〜図13を参照して説明されたような、基地局基準信号マネージャによって実行され得る。いくつかの例では、基地局105は、以下で説明される機能を実行するようにデバイスの機能要素を制御するためのコードのセットを実行し得る。加えて、または代わりに、基地局105は、専用ハードウェアを使用して以下で説明される機能の態様を実行し得る。
【０１１７】
ブロック1505において、基地局105は、複数のスロットのうちの1つまたは複数のスロットにおいて送信されるべき1つまたは複数の基準信号を受信して処理するための複数の基準信号処理を用いてユーザ機器(UE)を構成することができ、複数の基準信号処理のうちの対応する基準信号処理を有する複数のスロットの各スロットが、スロットの位置に少なくとも一部基づく。ブロック1505の動作は、本明細書で説明される方法に従って実行され得る。いくつかの例では、ブロック1505の動作の態様は、図10〜図13を参照して説明されたような、基準信号処理マネージャによって実行され得る。いくつかの場合、基準信号処理は、時間リソース、周波数リソース、またはこれらの組合せの特定を含むことがあり、これらは、基準信号処理の数および無線フレーム内での特定のスロットの位置に基づいて、無線フレーム内の異なるスロットに対して別々に特定され得る。いくつかの場合、基準信号処理番号は、Nを法とする無線フレーム内でのスロット番号の剰余に等しいことがあり、Nは供給される基準信号処理の数より大きいことがある(たとえば、Nは4または8であり得る)。
【０１１８】
ブロック1510において、基地局105は、複数の基準信号処理のための構成情報とともに無線リソース制御(RRC)シグナリングをUEに送信し得る。ブロック1510の動作は、本明細書で説明される方法に従って実行され得る。いくつかの例では、ブロック1510の動作の態様は、図10〜図13を参照して説明されたような、基準信号処理マネージャによって実行され得る。いくつかの場合、RRCシグナリングは、UEにおける基準信号の監視および関連する報告のために使用され得る、利用可能な基準信号処理のセットを提供し得る。このことは、UEが前もって受信ビームの適切なシーケンスのためにRFハードウェアを準備しながら、スロット内の非周期的な基準信号をスケジューリングするための柔軟性を基地局に与えることも可能にする。
【０１１９】
ブロック1515において、基地局105は、基準信号が複数のスロットのうちの第1のスロットにおいて送信ビームを介して送信されるべきであることを決定し得る。ブロック1515の動作は、本明細書で説明される方法に従って実行され得る。いくつかの例では、ブロック1515の動作の態様は、図10〜図13を参照して説明されたようなリソース割振り構成要素によって実行され得る。いくつかの場合、基地局105は、チャネル品質の様相、以前の基準信号処理からのタイミング、または1つまたは複数の他の要因などの、様々な要因に基づいて基準信号処理のためのスロットを決定し得る。基地局105-bにおけるそのような決定は、非周期的な基準信号送信を基地局がスケジューリングすることを可能にすることがあり、それは、周期的な基準信号送信が、基準信号送信の存在または不在の指示なしで事前構成され送信されるからである。
【０１２０】
ブロック1520において、基地局105は、第1のスロットにおける基準信号の存在を示すために、第1のスロットにおいて制御信号を送信し得る。ブロック1520の動作は、本明細書で説明される方法に従って実行され得る。いくつかの例では、ブロック1520の動作の態様は、図10〜図13を参照して説明されたような、制御信号特定構成要素によって実行され得る。いくつかの場合、制御信号は、スロットにおける基準信号送信の存在または不在を示すための、DCIにおけるフラグであり得る。
【０１２１】
ブロック1525において、基地局105は第1のスロットにおいて基準信号を送信し得る。ブロック1525の動作は、本明細書で説明される方法に従って実行され得る。いくつかの例では、ブロック1525の動作の態様は、図10〜図13を参照して説明されたように、送信ビームマネージャによって実行され得る。そのような基準信号送信は、スロットのために構成されたリソースを使用することがあり、基準信号処理と関連付けられるビームフォーミングパラメータに従って送信されることがある。
【０１２２】
任意選択のブロック1530において、基地局105は、非周期的な基準信号を送信したことに応答して、送信ビームを含むビームペアリンクの受信ビームを介して測定報告をUEから受信し得る。ブロック1530の動作は、本明細書で説明される方法に従って実行され得る。いくつかの例では、ブロック1530の動作の態様は、図10〜図13を参照して説明されたように、送信ビームマネージャによって実行され得る。受信ビームを介したそのような測定報告は、スロットのために構成されたリソースを使用することがあり、基準信号処理と関連付けられるビームフォーミングパラメータに従って送信されることがある。
【０１２３】
上で説明された方法は、可能な実装形態を説明しており、動作およびステップは、再編成されるか、または他の方法で修正されてもよく、他の実装形態が可能であることに留意されたい。さらに、方法のうちの2つ以上から得られる態様が組み合わされてもよい。
【０１２４】
本明細書で説明される技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。符号分割多元接続(CDMA)システムは、CDMA2000、Universal Terrestrial Radio Access(UTRA)などの無線技術を実装し得る。CDMA2000は、IS-2000規格、IS-95規格、およびIS-856規格をカバーする。IS-2000リリースは、通常、CDMA2000 1X、1Xなどと呼ばれることがある。IS-856(TIA-856)は、通常、CDMA2000 1xEV-DO、High Rate Packet Data(HRPD)などと呼ばれる。UTRAは、Wideband CDMA(WCDMA(登録商標))およびCDMAの他の変形を含む。TDMAシステムは、Global System for Mobile communications(GSM(登録商標))などの無線技術を実装し得る。
【０１２５】
OFDMAシステムは、Ultra Mobile Broadband(UMB)、Evolved UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、Universal Mobile Telecommunications System(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明される技法は、上述のシステムおよび無線技術、ならびに他のシステムおよび無線技術のために使用され得る。LTEまたはNRシステムの態様が例として説明されることがあり、説明の大部分においてLTEまたはNR用語が使用されることがあるが、本明細書で説明された技法はLTEまたはNR適用例以外に適用可能である。
【０１２６】
本明細書で説明されたネットワークを含むLTE/LTE-Aネットワークでは、evolved Node B(eNB)という用語は、一般に、基地局を記述するために使用され得る。本明細書で説明される1つまたは複数のワイヤレス通信システムは、異なるタイプのeNBが様々な地理的領域にカバレッジを提供する異種LTE/LTE-AまたはNRネットワークを含み得る。たとえば、各eNB、次世代NodeB(gNB)、または基地局は、マクロセル、スモールセル、または他のタイプのセルに通信カバレッジを提供し得る。「セル」という用語は、文脈に応じて、基地局、基地局と関連付けられるキャリアもしくはコンポーネントキャリア、またはキャリアもしくは基地局のカバレッジエリア(たとえば、セクタなど)を表すために使用され得る。
【０１２７】
基地局は、基地トランシーバ局、無線基地局、アクセスポイント、無線トランシーバ、NodeB、eNodeB(eNB)、gNB、Home NodeB、Home eNodeB、または何らかの他の好適な用語を含むことがあり、またはそのように当業者によって呼ばれることがある。基地局のための地理的カバレッジエリアは、カバレッジエリアの一部分のみを構成するセクタに分割され得る。本明細書で説明される1つまたは複数のワイヤレス通信システムは、異なるタイプの基地局(たとえば、マクロ基地局またはスモールセル基地局)を含み得る。本明細書で説明されるUEは、マクロeNB、スモールセルeNB、gNB、リレー基地局などを含む、様々なタイプの基地局およびネットワーク機器と通信することが可能であり得る。異なる技術のための重複する地理的カバレッジエリアがあってよい。
【０１２８】
マクロセルは一般に、比較的大きい地理的エリア(たとえば、半径数キロメートル)をカバーし、ネットワークプロバイダのサービスに加入しているUEによる無制限アクセスを可能にすることがある。スモールセルは、マクロセルと比較して、同じまたは異なる(たとえば、免許、免許不要などの)周波数帯域内でマクロセルとして動作することがある低電力基地局である。スモールセルは、様々な例による、ピコセル、フェムトセル、およびマイクロセルを含み得る。ピコセルは、たとえば、小さい地理的エリアをカバーすることができ、ネットワークプロバイダのサービスに加入しているUEによる無制限アクセスを可能にすることがある。フェムトセルも、小さい地理的エリア(たとえば、自宅)をカバーすることがあり、フェムトセルとの関連付けを有するUE(たとえば、限定加入者グループ(CSG)の中のUE、自宅の中のユーザのUEなど)による制限付きアクセスを可能にすることがある。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートすることがある。
【０１２９】
本明細書で説明される1つまたは複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、基地局は、異なるフレームタイミングを有することがあり、異なる基地局からの送信は、時間的に整合されないことがある。本明細書で説明された技法は、同期動作または非同期動作のいずれに使用されてもよい。
【０１３０】
本明細書で説明されたダウンリンク送信は順方向リンク送信と呼ばれることがあり、アップリンク送信は逆方向リンク送信と呼ばれることがある。たとえば、図1および図2のワイヤレス通信システム100および200を含む、本明細書で説明される各通信リンクは、1つまたは複数のキャリアを含むことがあり、各キャリアは、複数のサブキャリア(たとえば、異なる周波数の波形信号)から構成される信号であり得る。
【０１３１】
添付の図面に関して本明細書に記載された説明は、例示的な構成を説明しており、実装され得る、または特許請求の範囲内に入るすべての例を表すとは限らない。本明細書で使用される「例示的」という用語は、「例、事例、または例示として働く」ことを意味し、「好ましい」または「他の例よりも有利な」を意味するものではない。発明を実施するための形態は、説明する技法の理解を可能にするための具体的な詳細を含む。しかしながら、これらの技法は、これらの具体的な詳細を伴うことなく実践されてもよい。いくつかの事例では、説明された例の概念を不明瞭にすることを回避するために、よく知られている構造およびデバイスがブロック図の形態で示される。
【０１３２】
添付の図面では、類似の構成要素または特徴は、同じ参照ラベルを有することがある。さらに、同じタイプの様々な構成要素が、参照ラベルの後に、ダッシュおよび類似の構成要素を区別する第2のラベルを続けることによって区別されることがある。第1の参照ラベルのみが本明細書において使用される場合、説明は、第2の参照ラベルにかかわらず、同じ第1の参照ラベルを有する同様の構成要素のうちのいずれにも適用可能である。
【０１３３】
本明細書で説明される情報および信号は、多種多様な技術および技法のいずれかを使用して表され得る。たとえば、上記の説明全体にわたって言及されることがあるデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１３４】
本明細書の開示に関して説明される様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであってもよいが、代替として、プロセッサは任意の従来のプロセッサ、コントローラ、マイクロコントローラ、またはステートマシーンであってもよい。プロセッサはまた、コンピューティングデバイスの組合せ、(たとえば、DSPとマイクロプロセッサとの組合せ、複数のマイクロプロセッサ、DSPコアと連携した1つもしくは複数のマイクロプロセッサ、または任意の他のそのような構成)としても実装され得る。
【０１３５】
本明細書で説明された機能は、ハードウェア、プロセッサによって実行されるソフトウェア、ファームウェア、またはそれらの任意の組合せとして実装されてもよい。プロセッサによって実行されるソフトウェアで実装される場合、機能は、1つまたは複数の命令またはコードとして、コンピュータ可読媒体上に記憶され、またはコンピュータ可読媒体を介して送信されてもよい。他の例および実装形態は、本開示および添付の特許請求の範囲の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、異なる物理的位置において機能の部分が実装されるように分散されることを含めて、様々な場所に物理的に配置されてもよい。また、特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用する「に基づいて」という句は、条件の閉集合を指すものと解釈されるべきではない。たとえば、「条件Aに基づいて」として説明された例示的なステップは、本開示の範囲から逸脱することなく、条件Aと条件Bの両方に基づいてもよい。言い換えれば、本明細書で使用する「に基づいて」という句は、「に少なくとも部分的に基づいて」という句と同様に解釈されるべきである。
【０１３６】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であってもよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは、命令またはデータ構造の形態の所望のプログラムコード手段を搬送または記憶するために使用され、汎用コンピュータもしくは専用コンピュータまたは汎用プロセッサもしくは専用プロセッサによってアクセスされ得る、任意の他の非一時的媒体を備えてもよい。また、任意の接続が、適正にコンピュータ可読媒体と呼ばれる。たとえば、ソフトウェアが、同軸ケーブル、光ファイバーケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバーケーブル、ツイストペア、DSL、または、赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)およびブルーレイディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１３７】
本明細書の説明は、当業者が本開示を作成または使用することを可能にするために提供される。本開示に対する様々な修正は、当業者に容易に明らかになり、本明細書で定義された一般原理は、本開示の範囲から逸脱することなく他の変形形態に適用されてもよい。したがって、本開示は、本明細書で説明される例および設計に限定されず、本明細書で開示された原理および新規の特徴と一致する最も広い範囲を与えられるべきである。
【符号の説明】
【０１３８】
100  ワイヤレス通信システム
105  基地局
110  地理的カバレッジエリア
115  UE
125  通信リンク
130  コアネットワーク
132  バックホールリンク
134  バックホールリンク
205  送信ビーム
210  受信ビーム
220  CSI-RS
305  スロット
310  基準信号処理
315  制御情報
410  アンテナ
420  LNA
425  受信ビームフォーミングコントローラ
430  利得/位相調整構成要素
440  加算器
450  混合器
460  ダウンコンバータ
470  アナログデジタルコンバータ
515  構成情報
540  RS指示
545  RS送信
555  測定報告
605  ワイヤレスデバイス
610  受信機
615  UE基準信号マネージャ
620  送信機
705  ワイヤレスデバイス
710  受信機
715  UE基準信号マネージャ
720  送信機
725  基準信号処理マネージャ
730  受信ビームフォーミングコントローラ
735  制御信号特定構成要素
740  受信ビームマネージャ
815  UE基準信号マネージャ
820  基準信号処理マネージャ
825  受信ビームフォーミングコントローラ
830  制御信号特性構成要素
835  受信ビームマネージャ
840  処理特定構成要素
905  デバイス
910  バス
915  UE基準信号マネージャ
920  プロセッサ
930  ソフトウェア
935  トランシーバ
940  アンテナ
945  I/Oコントローラ
1005  ワイヤレスデバイス
1010  受信機
1015  基地局基準信号マネージャ
1020  送信機
1105  ワイヤレスデバイス
1110  受信機
1115  基地局基準信号マネージャ
1120  送信機
1125  基準信号処理マネージャ
1130  リソース割振り構成要素
1135  制御信号特性構成要素
1140  送信ビームマネージャ
1215  基地局基準信号マネージャ
1220  基準信号処理マネージャ
1225  リソース割振り構成要素
1230  制御信号特性構成要素
1235  送信ビームマネージャ
1240  処理特定構成要素
1305  デバイス
1310  バス
1315  基地局基準信号マネージャ
1320  プロセッサ
1330  ソフトウェア
1335  トランシーバ
1340  アンテナ
1345  ネットワーク通信マネージャ
1350  局間通信マネージャ
【図１】
0006813696.tif 000002
【図２】
0006813696.tif 000003
【図３】
0006813696.tif 000004
【図４】
0006813696.tif 000005
【図５】
0006813696.tif 000006
【図６】
0006813696.tif 000007
【図７】
0006813696.tif 000008
【図８】
0006813696.tif 000009
【図９】
0006813696.tif 000010
【図１０】
0006813696.tif 000011
【図１１】
0006813696.tif 000012
【図１２】
0006813696.tif 000013
【図１３】
0006813696.tif 000014
【図１４】
0006813696.tif 000015
【図１５】
0006813696.tif 000016